(57)【要約】【課題】  原稿の所有者に対して原稿載置台に原稿が載置されたままになっていることを迅速に通知するとともに、原稿が所有者以外の第三者の手に渡ることを確実に防ぐことを目的とする。【解決手段】  制御部１０は、プラテンガラス３１に原稿が載置されている状態で予め定められる第１の時間が経過した場合であって、リーダー４４によってユーザーが検出されている場合に、ロック機構３４に対し、原稿カバー部材３２をロックさせることなく、音声出力部４６に対し、プラテンガラス３１に原稿が載置されていることを示す通知情報を出力させる。制御部１０はまた、プラテンガラス３１に原稿が載置されている状態で第１の時間が経過した場合であって、リーダー４４によってユーザーの存在が検出されていない場合に、ロック機構３４に対し、原稿カバー部材３２をロックさせる。【選択図】図５
2020088482.tif 000002
【特許請求の範囲】
【請求項１】
原稿が載置される原稿載置台と、
前記原稿載置台に対して開閉可能に設けられる原稿カバー部材と、
前記原稿カバー部材を前記原稿載置台に対して閉状態に固定するロック機構と、
前記原稿載置台に載置されている前記原稿を読取って画像データを生成する画像読取部と、
前記原稿載置台から予め定められる範囲内に存在するユーザーを検出する検出部と、
前記予め定められる範囲内に存在するユーザーに対して情報を出力する出力部と、
制御部と、を備え、
前記制御部は、前記原稿載置台に前記原稿が載置されている状態で予め定められる第１の時間が経過した場合であって、前記検出部によって前記ユーザーが検出されている場合に、前記ロック機構に対し、前記原稿カバー部材をロックさせることなく、前記出力部に対し、前記原稿載置台に前記原稿が載置されていることを示す通知情報を出力させ、
前記制御部は、前記原稿載置台に前記原稿が載置されている状態で前記第１の時間が経過した場合であって、前記検出部によって前記ユーザーの存在が検出されていない場合に、前記ロック機構に対し、前記原稿カバー部材をロックさせる、画像読取装置。
【請求項２】
前記制御部は、前記出力部による前記通知情報の出力後、前記原稿載置台に前記原稿が載置されている状態で予め定められる第２の時間が経過した場合に、前記ロック機構に対し、前記原稿カバー部材をロックさせる、請求項１に記載の画像読取装置。
【請求項３】
前記通知情報の送信先を予め記憶する記憶部と、
ネットワークを介して情報処理装置と通信を行なう通信部と、をさらに備え、
前記制御部は、前記ロック機構による前記原稿カバー部材のロック後、前記通信部を介して、前記送信先に対し、前記通知情報を送信させる、請求項１又は請求項２に記載の画像読取装置。
【請求項４】
前記ロック機構による前記原稿カバー部材のロックを解除するための解除情報を記憶する記憶部と、
ユーザーによって情報が入力される入力部と、をさらに備え、
前記制御部は、前記入力部を介して入力される前記情報が、前記解除情報と一致する場合に、前記ロック機構に対し、前記原稿カバー部材のロックを解除させる、請求項１乃至請求項３のいずれかに記載の画像読取装置。
【請求項５】
前記検出部は、通信可能範囲に存在するＲＦタグとの無線通信を行なう読取装置であり、
前記制御部は、前記読取装置を介して、前記ＲＦタグから情報を取得可能である場合に、前記検出部によって前記ユーザーが検出されていると判定し、前記読取装置を介して、前記ＲＦタグから情報を取得可能でない場合に、前記検出部によって前記ユーザーが検出されていないと判定する、請求項１乃至請求項４のいずれかに記載の画像読取装置。
【請求項６】
警告音を出力するための音声データを予め記憶する記憶部をさらに含み、
前記出力部は、音声を出力する音声出力部であり、
前記制御部は、前記音声出力部に、前記通知情報として、前記音声データに基づいて、前記警告音を示す音声を出力させる、請求項１乃至請求項５のいずれかに記載の画像読取装置。
【請求項７】
前記原稿カバー部材の開状態又は閉状態を検出する開閉検出部をさらに備え、
前記制御部は、前記画像読取部による前記原稿の読取後、前記開閉検出部によって前記原稿カバー部材の開状態が検出されていない場合に、前記原稿載置台に前記原稿が載置されている状態であると判定する、請求項１乃至請求項６のいずれかに記載の画像読取装置。
【発明の詳細な説明】
【技術分野】
【０００１】
本発明は、画像読取装置に関し、特に、原稿の置き忘れをユーザーに通知する技術に関する。
【背景技術】
【０００２】
コピー機能又はスキャン機能の実行後、原稿載置台に原稿が載置されたままになっている場合に、ユーザーに対して、原稿の置き忘れを通知する技術が知られている。
【０００３】
例えば、特許文献１には、コピー作業によって生成される原稿画像の特徴情報をユーザーＩＤ(Identification)と対応付けて記憶しておき、コピー作業の終了後予め定められた時間が経過したときに実行される再スキャンによって生成される再スキャン画像の特徴情報と、原稿画像の特徴情報とが同一である場合に、対応するユーザーＩＤによって特定されるユーザーのＰＣ(Personal Computer)に、原稿を置き忘れている旨を表示させる技術が開示されている。
【先行技術文献】
【特許文献】
【０００４】
【特許文献１】特開２００５−５１４０２号公報
【発明の概要】
【発明が解決しようとする課題】
【０００５】
原稿載置台に載置されたままになっている原稿が機密文書である場合、原稿が所有者以外の第三者の手に渡ることによって情報漏えいのリスクが高まるおそれがある。
【０００６】
特許文献１に開示される技術は、原稿を置き忘れたユーザーに対して原稿の置き忘れを通知することができるものの、原稿が所有者以外の第三者の手に渡ることを確実に防ぐことができないため、上記の問題を解決することはできない。
【０００７】
本発明は、上記の事情に鑑みなされたものであり、原稿の所有者に対して原稿載置台に原稿が載置されたままになっていることを迅速に通知するとともに、原稿が所有者以外の第三者の手に渡ることを確実に防ぐことを目的とする。
【課題を解決するための手段】
【０００８】
本発明の一局面に係る画像読取装置は、原稿が載置される原稿載置台と、原稿載置台に対して開閉可能に設けられる原稿カバー部材と、原稿カバー部材を原稿載置台に対して閉状態に固定するロック機構と、原稿載置台に載置されている原稿を読取って画像データを生成する画像読取部と、原稿載置台から予め定められる範囲内に存在するユーザーを検出する検出部と、予め定められる範囲内に存在するユーザーに対して情報を出力する出力部と、制御部と、を備える。制御部は、原稿載置台に原稿が載置されている状態で予め定められる第１の時間が経過した場合であって、検出部によってユーザーが検出されている場合に、前記ロック機構に対し、前記原稿カバー部材をロックさせることなく、出力部に対し、原稿載置台に原稿が載置されていることを示す通知情報を出力させる。制御部はまた、原稿載置台に原稿が載置されている状態で予め定められる第１の時間が経過した場合であって、検出部によってユーザーの存在が検出されていない場合に、ロック機構に対し、原稿カバー部材をロックさせる。
【発明の効果】
【０００９】
本発明によれば、ユーザーが原稿載置台の近傍に存在する場合には、原稿載置台に原稿が載置されていることを示す通知情報が出力部によって出力されるので、制御部は、原稿の所有者に対し、原稿を置き忘れていることを迅速に知らせることができる。また、原稿載置台に原稿が載置されたままになっている状態で、ユーザーが原稿載置台の近傍に存在しない場合には、原稿カバー部材がロックされるので、原稿が所有者以外の第三者の手に渡ることを確実に防ぐことができる。
【図面の簡単な説明】
【００１０】
【図１】本発明の一実施形態に係る画像読取装置を含む画像形成装置の外観を示す斜視図である。
【図２】本発明の一実施形態に係る画像読取装置を含む画像形成装置の内部構成を示すブロック図である。
【図３】ロック機構の構成の一例を示す上面図である。
【図４】本発明の一実施形態に係る画像読取装置の内部構成を示す図である。
【図５】原稿忘れ通知処理を示すフローチャートである。
【図６】ホーム画面の一例を示す図である。
【図７】ロック解除処理を示すフローチャートである。
【図８】第１の変形例に係る原稿忘れ通知処理を示すフローチャートである。
【発明を実施するための形態】
【００１１】
以下、本発明の一実施形態に係る画像読取装置について図面を参照して説明する。図１は、本発明の一実施形態に係る画像読取装置を含む画像形成装置の外観を示す斜視図である。図２は、画像形成装置の内部構成を示すブロック図である。図１及び図２を参照して、画像形成装置１は、ファクシミリ機能、コピー機能、プリンター機能、及びスキャナー機能等の複数の機能を兼ね備える複合機である。
【００１２】
画像形成装置１の筐体７には、画像形成装置１の様々な機能を実現するための複数の機器が収容されている。例えば、筐体７には、画像読取装置２、画像形成部１２、定着部１３、及び給紙部１４等が収容されている。
【００１３】
画像読取装置２は、原稿を搬送するＡＤＦ（Auto Document Feeder）である原稿搬送部３０と、原稿が載置される原稿載置台としてのプラテンガラス３１と、原稿カバー部材３２と、開閉検出部３３と、ロック機構３４と、を備える。プラテンガラス３１は、透明なガラスによって構成される板状部材である。プラテンガラス３１は、短辺が、矢印Ｘ１によって示される主走査方向に伸び、長辺が、矢印Ｘ２によって示される副走査方向に伸びる矩形形状を有する。副走査方向Ｘ２は、主走査方向Ｘ１に対して直交する方向である。
【００１４】
原稿カバー部材３２は、回転軸を介して筐体７に接続されており、回転軸を中心として回動することによって、プラテンガラス３１に対して開閉可能に設けられている。原稿カバー部材３２は、白色の板状部材を含む。原稿カバー部材３２は、プラテンガラス３１に対して閉じられている状態（以下、「閉状態」と記す。）にある場合に、プラテンガラス３１に載置されている原稿を、上記板状部材によって押さえ付けることによって、原稿を覆うように構成されている。ユーザーは、原稿カバー部材３２をプラテンガラス３１に対して開放される状態（以下、「開状態」と記す。）にすることによって、プラテンガラス３１に原稿を載置することができる。
【００１５】
開閉検出部３３は、原稿カバー部材３２の開状態又は閉状態を検出する機械式のスイッチ機構である。原稿カバー部材３２によって開閉検出部３３が押下されているときには、開閉検出部３３は、閉状態を示す検出信号を出力する。原稿カバー部材３２によって開閉検出部３３が押下されていないときには、開閉検出部３３は、開状態を示す検出信号を出力する。
【００１６】
図３は、ロック機構の構成の一例を示す上面図である。図３（Ａ）は、原稿カバー部材３２のロックが解除されている状態を示す図である。図３（Ｂ）は、原稿カバー部材３２がロックされている状態を示す図である。図３を参照して、ロック機構３４は、ロック部材３５と、ロック部材３５に接続されているモーター３６と、を備える。
【００１７】
ロック部材３５は、耐熱性の合成樹脂等によって形成される略直方体状の部材である。ロック部材３５は、筐体７の上面において、プラテンガラス３１の近傍であって、原稿カバー部材３２の回転軸から離れている位置に、複数（この場合、２つ）設けられている。ロック部材３５は、回転軸３５Ａを中心として回転可能に構成されている。回転軸３５Ａは、軸線方向から見たときにロック部材３５の中心を通る軸である。
【００１８】
図３（Ａ）に示すように、原稿カバー部材３２のロックが解除されている状態では、ロック部材３５は、原稿カバー部材３２のロック部材３５に対向する位置に設けられる開口部３２Ａを通過可能に構成されている。したがって、原稿カバー部材３２が閉状態であって、原稿カバー部材３２のロックが解除されている状態では、ロック部材３５は、開口部３２Ａを通過している状態となる。
【００１９】
モーター３６は、制御ユニット１００に電気的に接続されている。制御部１０は、モーター３６の駆動を制御することによって、ロック部材３５の回転を制御する。
【００２０】
原稿カバー部材３２をロックする場合には、制御部１０は、モーター３６の駆動を制御して、ロック部材３５を、図３（Ａ）に示す状態から反時計回り（矢印Ａ１に示す方向）に予め定められる角度（この場合、９０度）回転させる。当該回転によって、ロック部材３５は、図３（Ｂ）に示すように、原稿カバー部材３２の開口部３２Ａを通過不可能な状態となる。これによって、原稿カバー部材３２は、プラテンガラス３１に対して閉状態に固定される。
【００２１】
原稿カバー部材３２のロックを解除する場合には、制御部１０は、モーター３６の駆動を制御して、ロック部材３５を、図３（Ｂ）に示す状態から反時計回り（矢印Ａ２に示す方向）に予め定められる角度（この場合、９０度）回転させる。当該回転によって、ロック部材３５は、図３（Ａ）に示すように、原稿カバー部材３２の開口部３２Ａを通過可能な状態となる。これによって、原稿カバー部材３２は、プラテンガラス３１に対して開閉可能な状態となる。
【００２２】
図４は、画像読取装置の内部構成を示す図である。図４を参照して、画像読取装置２が備える原稿搬送部３０は、原稿が載置される原稿トレイ３７と、原稿トレイ３７に載置されている原稿を１枚ずつ引出してスリットガラス３８に向けて搬送する給紙ローラー及び搬送ローラー等を含む駆動機構３９と、読取終了後の原稿が排出される排出トレイ４０と、を備える。
【００２３】
画像読取装置２は、画像読取部１１を備える。画像読取部１１は、キャリッジ４１と、集光レンズ４２と、ＣＣＤ(Charge Couplede Device)センサー４３と、を備える。画像読取部１１は、特許請求の範囲における入力部の一例である。
【００２４】
キャリッジ４１は、原稿搬送部３０により搬送される原稿又はプラテンガラス３１に載置される原稿に向けて光を照射する光源４１Ａと、原稿によって反射される反射光をＣＣＤセンサー４３に向けて反射する複数のミラー４１Ｂと、を含む。光源４１Ａは、主走査方向Ｘ１に沿って並ぶように配置される複数のＬＥＤ(Light Emitting Diode)素子を含む。キャリッジ４１は、副走査方向Ｘ２に沿って往復移動可能に構成されている。
【００２５】
集光レンズ４２は、ミラー４１Ｂによって反射される反射光を集光してＣＣＤセンサー４３の受光面に結像させる。ＣＣＤセンサー４３は、集光レンズ４２から受光する光を光電変換して電気信号を出力する。ＣＣＤセンサー４３は、主走査方向Ｘ１に沿って並ぶように配置される複数の光電変換素子を含む。
【００２６】
図１及び図２を再び参照して、画像読取装置２は、プラテンガラス３１の近傍に、ＲＦＩＤ(Radio Frequency Identification)用のリーダー４４を備える。リーダー４４は、通信可能範囲に存在するＲＦ(Radio Frequency)タグ４５との無線通信を行なう読取装置である。リーダー４４は、特許請求の範囲における検出部及び入力部の一例である。
【００２７】
リーダー４４は、制御回路、及びアンテナ等を含む。リーダー４４は、アンテナを介して電波を発信し、当該電波を受信したパッシブ方式のＲＦタグ４５から送信される電波を受信することによって、ＲＦタグ４５に記憶されているＩＤ(Identification)情報を取得する。ＩＤ情報は、ＲＦタグ４５の所有者である画像形成装置１のユーザーを識別するための情報である。ＩＤ情報としては、例えば、予め定められる桁数の数字によって構成される数値、又は、予め定められる数の文字若しくは数字等によって構成される文字列である。
【００２８】
リーダー４４の通信可能範囲は、周波数、アンテナの大きさ、及び動作環境によって異なる。本実施の形態では、通信可能範囲は、リーダー４４から１メートル離れた距離までであるものとする。
【００２９】
画像読取装置２は、音声出力部４６を含む。音声出力部４６は、音声データによって示されるデジタル信号をアナログ信号に変換する図略のＤ／Ａ変換回路、及びアナログ信号に基づいて音声を出力するためのスピーカー等を含む。音声出力部４６は、特許請求の範囲における出力部の一例である。
【００３０】
画像形成部１２は、感光体ドラム、帯電装置、露光装置、現像装置、及び転写装置を含む。画像形成部１２は、画像読取部１１によって生成される画像データ、ネットワークを介して接続されるＰＣから送られる画像データ、又は他のファクシミリ装置から送られる画像データ等に基づいて、給紙部１４から供給される記録紙にトナー像によって構成される画像を形成する。
【００３１】
定着部１３は、画像形成部１２によって表面にトナー像が形成された記録紙を加熱及び加圧することによってトナー像を記録紙に定着させる。定着部１３によってトナー像が定着された記録紙は排紙トレイ８に排出される。
【００３２】
給紙部１４は、用紙カセットに収容される記録紙、又は手差しトレイに載置される記録紙をピックアップローラーによって１枚ずつ引出して画像形成部１２へと送り出す。
【００３３】
画像読取装置２は、筐体７の正面側に操作部１５を備える。ユーザーは、操作部１５を介して、画像形成装置１によって実行可能な各種機能についての指示等の情報を入力する。操作部１５は、ハードキーとして、各種機能の実行の開始を指示するための図略のスタートキーを含む。
【００３４】
操作部１５はまた、表示部１６を含む。表示部１６は、液晶ディスプレイを含む表示装置である。表示部１６は、画像形成装置１によって実行可能な各種機能に関する各種の画面を表示する。操作部１５はさらに、表示部１６に重ねて配置されるタッチパネル１５Ａを含む。
【００３５】
画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムが上記のプロセッサーによって実行されることにより、制御部１０として機能する。
【００３６】
図２を参照して、制御ユニット１００は、画像読取部１１、原稿搬送部３０、開閉検出部３３、モーター３６、リーダー４４、画像形成部１２、定着部１３、給紙部１４、操作部１５、ＨＤＤ１９、音声出力部４６、通信部２１、画像処理部１７、画像メモリー１８、及びファクシミリ通信部２０等と電気的に接続される。
【００３７】
本実施の形態において、画像読取部１１、原稿搬送部３０、開閉検出部３３、モーター３６、リーダー４４、操作部１５、表示部１６、ＨＤＤ１９、音声出力部４６、通信部２１、及び制御ユニット１００は、画像読取装置２として機能する。
【００３８】
制御部１０は、画像形成装置１の全体制御を司る。より詳細には、制御部１０は、画像形成装置１の各部の動作、及び、ネットワークを介して接続されるＰＣ又はサーバー等の情報処理装置２２との通信等を制御する。
【００３９】
画像処理部１７は、画像読取部１１によって生成される画像データに対して、必要に応じて画像処理を実行する。
【００４０】
画像メモリー１８は、画像読取部１１によって生成される印刷対象の画像データを一時的に記憶する領域を含む。
【００４１】
ＨＤＤ１９は、画像読取部１１によって生成される画像データを含む各種データを記憶する大容量の記憶装置である。ＨＤＤ１９は、画像形成装置１の一般的な動作を実現するための各種制御プログラムを記憶する。ＨＤＤ１９は、特許請求の範囲における記憶部の一例である。
【００４２】
ＨＤＤ１９は、本実施の形態に係る原稿忘れ通知処理を実行するための通知プログラムを記憶する。上記のプロセッサーは、通知プログラムに従って動作することにより、制御部１０として、原稿忘れ通知処理を実行する。通知プログラムは、上記制御プログラムに含まれているものとする。
【００４３】
ＨＤＤ１９はまた、本実施の形態に係るロック解除処理を実行するための解除プログラムを記憶する。上記のプロセッサーは、解除プログラムに従って動作することにより、制御部１０として、ロック解除処理を実行する。解除プログラムは、上記制御プログラムに含まれているものとする。
【００４４】
なお、制御部１０は、制御プログラムに基づく動作によらず、ハード回路により動作可能に構成されてもよいし、２つ以上の制御ユニットによって実現される構成であってもよい。
【００４５】
ＨＤＤ１９は、ユーザー名と、ユーザーを識別するためのＩＤ情報と、ユーザーが所有しているＰＣのネットワークアドレスと、を対応付けて予め記憶している。ユーザーは、操作部１５を介した入力によって、ユーザー名、ＩＤ情報、及びネットワークアドレスを予め登録する。ネットワークアドレスとしては、一般的に使用されるものであれば特に限定されないが、例えば、ＩＰ(Internet Protocol)アドレスがある。
【００４６】
ＨＤＤ１９は、警告音を出力するための音声データを予め記憶している。警告音は、一般的に使用されるものであれば特に限定されないが、例えば、非常ベルの音、又は非常ブザーの音である。音声データは、一般的に使用されるものであれば特に限定されないが、例えば、ＷＡＶＥ(RIFF waveform Audio Format)形式の音声ファイル、又は、ＭＰ３(MPEG-1 Audio Layer-3)形式の音声ファイルである。
【００４７】
制御部１０は、音声データに基づいて、音声出力部４６に、警告音を示す音声を出力させる。警告音は、プラテンガラス３１に原稿が載置されていることを示す通知情報の一例である。
【００４８】
ファクシミリ通信部２０は、公衆回線への接続を行ない、公衆回線を介して画像データの送受信を行なう。
【００４９】
通信部２１は、ＬＡＮ(Local Area Network)ボード等の通信モジュールを含む。画像形成装置１は、通信部２１を介して、ネットワーク上のＰＣ又はサーバー等の情報処理装置２２とデータ通信を行なう。
【００５０】
画像形成装置１の各部には図示しない電源が接続され、この電源から電力が供給されることによって、画像形成装置１の各部が動作する。
【００５１】
［動作］
図５は、原稿忘れ通知処理を示すフローチャートである。以下、原稿忘れ通知処理を実行するために、画像形成装置１で実行される通知プログラムの制御構造について、画像形成装置１の動作と併せて説明する。画像読取部１１による原稿の読取りが終了すると、制御部１０によって上記通知プログラムが実行される。
【００５２】
以下の説明において、画像形成装置１の電源投入時には、ロック機構３４による原稿カバー部材３２のロックは解除されている状態であるものとする。
【００５３】
画像形成装置１の電源が投入されると、制御部１０は、リーダー４４に対し、アンテナを介して電波を発生させる。電波の発生後、制御部１０は、リーダー４４を介して、ＲＦタグ４５に記憶されているＩＤ情報が取得されるまで待機する。このような場合に、ユーザーが、リーダー４４の通信可能範囲に立ち入ったものとする。
【００５４】
このとき、ユーザーは、ＩＣ(Integrated Circuit)カードを所持しているものとする。ＩＣカードには、当該ＩＣカードを所持するユーザーを識別するためのＩＤ情報を記憶するＲＦタグ４５が埋め込まれている。
【００５５】
制御部１０は、リーダー４４を介して、ユーザーが所持しているＩＣカードに埋め込まれているＲＦタグ４５からＩＤ情報を取得すると、取得されたＩＤ情報が、ＨＤＤ１９に予め記憶されているＩＤ情報と一致するか否かを判定する。
【００５６】
この場合、制御部１０は、取得されたＩＤ情報が、ＨＤＤ１９に記憶されているＩＤ情報と一致すると判定し、画像形成装置１へのログインを許可して、ログイン中のＩＤ情報として取得されたＩＤ情報をＨＤＤ１９に記憶させるとともに、表示部１６に、ホーム画面を表示させる。一方、制御部１０は、取得されたＩＤ情報が、ＨＤＤ１９に記憶されているＩＤ情報と一致しないと判定した場合には、画像形成装置１へのログインを許可しない。
【００５７】
なお、ログイン中に、ユーザーがリーダー４４の通信可能範囲から立ち去ることによって、制御部１０がリーダー４４を介してＩＤ情報を取得できなくなると、制御部１０は、画像形成装置１へのログインの許可を取り消し、画像形成装置１が備える各種機能を実行不可能な状態にする。
【００５８】
図６は、ホーム画面の一例を示す図である。図６を参照して、ホーム画面５０は、画像形成装置１によって実行可能な複数の機能のうちのいずれかを選択するための画面である。ホーム画面５０は、ソフトキーとして、コピー機能を選択するためのキー５２、送信機能を選択するためのキー５４、及び、ファクシミリ機能を選択するためのキー５６等を含む。
【００５９】
ユーザーは、ホーム画面５０を確認し、コピー機能の利用を所望して、キー５２を押下したものとする。制御部１０は、タッチパネル１５Ａを介してキー５２の押下を検知すると、表示部１６に、コピー機能に関する各種設定を入力するための図略のコピー画面を表示させる。
【００６０】
ユーザーは、図略のコピー画面を確認して、操作部１５を介して、コピー機能に関する各種設定を入力する。各種設定の入力後、ユーザーは、原稿カバー部材３２を開放して、画像読取部１１のプラテンガラス３１に、印刷を所望する原稿を載置する。原稿の載置後、ユーザーは、原稿カバー部材３２を閉じて、画像読取部１１に原稿の読取りを実行させるために、操作部１５に備えられる図略のスタートキーを押下したものとする。
【００６１】
制御部１０は、図略のスタートキーの押下を検知すると、画像読取部１１に対し、原稿を読み取らせて、画像データを生成させる。画像データの生成後、制御部１０は、画像形成部１２等に対し、生成された画像データによって示される画像を記録紙に印刷させる。
【００６２】
図５を参照して、画像読取部１１による原稿の読取り後、制御部１０は、開閉検出部３３によって原稿カバー部材３２の開状態が検出されることなく予め定められる第１の時間が経過するまで（ステップＳ１１にてＮＯ、ステップＳ１２にてＮＯ）、又は、第１の時間が経過する前に開閉検出部３３によって原稿カバー部材３２の開状態が検出されるまで（ステップＳ１１にてＹＥＳ）、待機する。ここでは、予め定められる第１の時間の一例として、「５分」を用いて説明する。
【００６３】
（１）ユーザーが原稿を置き忘れている場合
印刷終了後、コピー機能を利用したユーザーは、画像が印刷された記録紙を排紙トレイ８から取得したものの、プラテンガラス３１に原稿を置き忘れているものとする。この状態、すなわち、プラテンガラス３１に原稿が載置されている状態で、画像読取部１１による原稿の読取りが終了してから５分が経過したものとする。
【００６４】
制御部１０は、開閉検出部３３から出力される検出信号に基づいて、原稿カバー部材３２が開状態ではないと判定するとともに（ステップＳ１１にてＮＯ）、第１の時間が経過したと判定し（ステップＳ１２にてＹＥＳ）、リーダー４４の通信可能範囲内にユーザーが存在しているか否かを判定する（ステップＳ１３）。
【００６５】
具体的には、制御部１０は、通信可能範囲にＲＦタグ４５が存在していないためにＩＤ情報を取得可能でない場合、すなわち、ログイン中でない場合に、通信可能範囲内にユーザーが存在していないと判定する。
【００６６】
一方、制御部１０は、通信可能範囲にＲＦタグ４５が存在しており、ＩＤ情報を取得可能である場合、すなわち、ログイン中である場合に、通信可能範囲内にユーザーが存在していると判定する。
【００６７】
（１−１）ユーザーが通信可能範囲に存在する場合
コピー機能を利用したユーザーは、画像読取部１１による原稿の読取りが終了してから５分が経過した時点においても、リーダー４４の通信可能範囲に留まっているものとする。
【００６８】
この場合、制御部１０は、リーダー４４を介して、ユーザーが所持しているＲＦタグ４５からＩＤ情報を取得可能であるので、制御部１０は、通信可能範囲内にユーザーが存在していると判定し（ステップＳ１３にてＹＥＳ）、ロック機構３４に対し、原稿カバー部材３２をロックさせることなく、音声出力部４６に対し、ＨＤＤ１９に記憶されている音声データに基づいて、警告音を示す音声を出力させる（ステップＳ１４）。
【００６９】
警告音の出力後、制御部１０は、開閉検出部３３によって原稿カバー部材３２の開状態が検出されることなく予め定められる第２の時間が経過するまで（ステップＳ１５にてＮＯ、ステップＳ１６にてＮＯ）、又は、第２の時間が経過する前に開閉検出部３３によって原稿カバー部材３２の開状態が検出されるまで（ステップＳ１５にてＹＥＳ）、待機する。ここでは、予め定められる第２の時間の一例として、「３０秒」を用いて説明する。
【００７０】
（１−１−１）警告音出力後に原稿が取り除かれない場合
警告音の出力後、ユーザーによって、プラテンガラス３１から原稿が取り除かれることなく、すなわち、プラテンガラス３１に原稿が載置されている状態で、３０秒が経過したものとする。
【００７１】
制御部１０は、開閉検出部３３から出力される検出信号に基づいて、原稿カバー部材３２が開状態ではないと判定するとともに（ステップＳ１５にてＮＯ）、第２の時間が経過したと判定し（ステップＳ１６にてＹＥＳ）、ロック機構３４に対し、原稿カバー部材３２をロックさせる（ステップＳ１７）。
【００７２】
具体的には、制御部１０は、モーター３６の駆動を制御して、ロック部材３５を、図３（Ａ）に示す状態から矢印Ａ１に示す反時計回りに９０度回転させる。当該回転によって、ロック部材３５は、図３（Ｂ）に示すように、原稿カバー部材３２の開口部３２Ａを通過不可能な状態となる。
【００７３】
原稿カバー部材３２がロックされると、ユーザーは、プラテンガラス３１に載置されている原稿のスキャン処理を実行できなくなるが、原稿搬送部３０を使用する原稿のスキャン処理を含むその他の処理については実行可能である。
【００７４】
原稿カバー部材３２のロック後、制御部１０は、ＨＤＤ１９から、コピー機能の使用時にログイン中のＩＤ情報としてＨＤＤ１９に記憶されていたＩＤ情報に対応するネットワークアドレスを読出し、通信部２１を介して、読出したネットワークアドレスによって示される送信先に、プラテンガラス３１に原稿が載置されていることを示す通知情報を送信する（ステップＳ１８）。
【００７５】
送信先のＰＣの制御部は、通知情報を受信すると、当該ＰＣが備える表示部に、通知情報によって示されるメッセージを表示させる。メッセージの内容としては、プラテンガラス３１に原稿が載置されていることを示す内容であれば特に限定されないが、例えば、「プラテンガラスに原稿が載置されたままになっています。」、又は、「プラテンガラスに原稿を置き忘れています。」等である。
【００７６】
通知情報の送信後、制御部１０は、コピー機能の使用時にログイン中のＩＤ情報としてＨＤＤ１９に記憶されていたＩＤ情報と、コピー機能の使用によって生成された画像データとを、解除情報としてＨＤＤ１９に記憶させる（ステップＳ１９）。
【００７７】
（１−１−２）警告音出力後に原稿が取り除かれる場合
警告音が出力されてから３０秒が経過するまでに、ユーザーは、原稿カバー部材３２を開放して、プラテンガラス３１から原稿を取り除いたものとする。制御部１０は、開閉検出部３３から出力される検出信号に基づいて、原稿カバー部材３２が開状態であると判定して（ステップＳ１５にてＹＥＳ）、原稿忘れ通知処理を終了する。
【００７８】
（１−２）ユーザーが通信可能範囲に存在しない場合
ユーザーは、画像読取部１１による原稿の読取りが終了してから５分が経過する時点までに、リーダー４４の通信可能範囲から立ち去っているものとする。制御部１０がリーダー４４を介してＩＤ情報を取得できなくなると、制御部１０は、画像形成装置１へのログインの許可を取り消し、画像形成装置１が備える各種機能を実行不可能な状態にする。
【００７９】
この場合、制御部１０は、通信可能範囲内にユーザーが存在していないと判定し（ステップＳ１３にてＮＯ）、ロック機構３４に対し、原稿カバー部材３２をロックさせる（ステップＳ１７）。
【００８０】
原稿カバー部材３２のロック後、制御部１０は、ＨＤＤ１９から、コピー機能の使用時にログイン中のＩＤ情報としてＨＤＤ１９に記憶されていたＩＤ情報に対応するネットワークアドレスを読出し、通信部２１を介して、読出したネットワークアドレスによって示される送信先に、プラテンガラス３１に原稿が載置されていることを示す通知情報を送信する（ステップＳ１８）。
【００８１】
送信先のＰＣの制御部は、通知情報を受信すると、当該ＰＣが備える表示部に、通知情報によって示されるメッセージを表示させる。
【００８２】
通知情報の送信後、制御部１０は、コピー機能の使用時にログイン中のＩＤ情報としてＨＤＤ１９に記憶されていたＩＤ情報と、コピー機能の使用によって生成された画像データとを、解除情報としてＨＤＤ１９に記憶させる（ステップＳ１９）。
【００８３】
（２）ユーザーが原稿を置き忘れていない場合
画像読取部１１による原稿の読取りが終了してから５分が経過するまでに、ユーザーは、画像が印刷された記録紙を排紙トレイ８から取得し、さらに、原稿カバー部材３２を開放して、プラテンガラス３１から原稿を取り除いたものとする。
【００８４】
制御部１０は、開閉検出部３３から出力される検出信号に基づいて、原稿カバー部材３２が開状態であると判定し（ステップＳ１１にてＹＥＳ）、原稿忘れ通知処理を終了する。
【００８５】
図７は、ロック解除処理を示すフローチャートである。以下、ロック解除処理を実行するために、画像形成装置１で実行される解除プログラムの制御構造について、画像形成装置１の動作と併せて説明する。ロック機構３４によって原稿カバー部材３２がロックされると、制御部１０によって上記解除プログラムが実行される。
【００８６】
図７を参照して、ロック機構３４による原稿カバー部材３２のロック後、
制御部１０は、リーダー４４を介して、ＲＦタグ４５からＩＤ情報が取得されるまで（ステップＳ２１にてＮＯ）、又は、画像読取部１１によって画像データが生成されるまで（ステップＳ２２にてＮＯ）、待機する。
【００８７】
（１）ＩＤ情報を用いてロックを解除する場合
ユーザーは、当該ユーザーが所有しているＰＣの表示部に表示されているメッセージを確認して、プラテンガラス３１から原稿を取り除くために、リーダー４４の通信可能範囲に立ち入ったものとする。このとき、ユーザーは、ＩＣカードを所持しているものとする。
【００８８】
制御部１０は、リーダー４４を介して、ユーザーが所持しているＩＣカードに埋め込まれているＲＦタグ４５からＩＤ情報を取得すると（ステップＳ２１にてＹＥＳ）、取得されたＩＤ情報が、ＨＤＤ１９に解除情報として記憶されているＩＤ情報と一致するか否かを判定する（ステップＳ２３）。
【００８９】
制御部１０は、取得されたＩＤ情報が、ＨＤＤ１９に解除情報として記憶されているＩＤ情報と一致すると判定し（ステップＳ２３にてＹＥＳ）、ロック機構３４に対し、原稿カバー部材３２のロックを解除させる（ステップＳ２４）。
【００９０】
具体的には、制御部１０は、モーター３６の駆動を制御して、ロック部材３５を、図３（Ｂ）に示す状態から矢印Ａ２に示す反時計回りに９０度回転させる。当該回転によって、ロック部材３５は、図３（Ａ）に示すように、原稿カバー部材３２の開口部３２Ａを通過可能な状態となる。これによって、原稿カバー部材３２は、プラテンガラス３１に対して開閉可能な状態となる。
【００９１】
（２）画像データを用いてロックを解除する場合
ユーザーは、当該ユーザーが所有しているＰＣの表示部に表示されているメッセージを確認して、プラテンガラス３１から原稿を取り除くために、リーダー４４の通信可能範囲に立ち入ったものとする。このとき、ユーザーは、ＩＣカードを所持しておらず、原稿画像が印刷された記録紙を所持しているものとする。
【００９２】
ユーザーは、原稿搬送部３０の原稿トレイ３７に、原稿画像が印刷された記録紙を載置する。記録紙の載置後、ユーザーは、画像読取部１１に画像の読取りを実行させるために、操作部１５に備えられる図略のスタートキーを押下したものとする。
【００９３】
制御部１０は、図略のスタートキーの押下を検知すると、原稿搬送部３０の駆動機構３９に対し、原稿トレイ３７に載置されている記録紙をスリットガラス３８に向けて搬送させるともに、画像読取部１１に対し、スリットガラス３８を通過する記録紙の画像を読み取らせて、画像データを生成させる。制御部１０は、画像読取部１１によって画像データが生成されると（ステップＳ２２にてＹＥＳ）、制御部１０は、一般的に使用される画像マッチング技術を用いて、生成された画像データによって示される画像が、ＨＤＤ１９に解除情報として記憶されている画像データによって示される画像と一致するか否かを判定する（ステップＳ２３）。
【００９４】
例えば、制御部１０は、生成された画像データによって示される画像、及び、ＨＤＤ１９に解除情報として記憶されている画像データによって示される画像のそれぞれからエッジ又は角等の特徴点を抽出し、抽出された特徴点の同一性を判定することによって、両画像が一致するか否かを判定する。
【００９５】
この場合、記録紙に印刷されている画像は、原稿画像を複写することによって得られている画像であるので、両画像の特徴点が一致する。したがって、制御部１０は、取得された画像データによって示される画像が、解除情報として記憶されている画像データによって示される画像と一致すると判定し（ステップＳ２３にてＹＥＳ）、ロック機構３４に対し、原稿カバー部材３２のロックを解除させる（ステップＳ２４）。
【００９６】
一方、制御部１０は、取得されたＩＤ情報が、ＨＤＤ１９に解除情報として記憶されているＩＤ情報と一致しないと判定した場合、又は、取得された画像データによって示される画像が、ＨＤＤ１９に解除情報として記憶されている画像データによって示される画像と一致しないと判定した場合（ステップＳ２３にてＮＯ）、ロックの解除を行なうことなくステップＳ２１の処理に戻って、再び待機する。
【００９７】
上記実施の形態によれば、制御部１０は、プラテンガラス３１に原稿が載置されている状態で予め定められる第１の時間が経過した場合であって、リーダー４４によってユーザーが検出されている場合に、ロック機構３４に対し、原稿カバー部材３２をロックさせることなく、音声出力部４６に対し、プラテンガラス３１に原稿が載置されていることを示す通知情報を出力させる。制御部１０はまた、プラテンガラス３１に原稿が載置されている状態で第１の時間が経過した場合であって、リーダー４４によってユーザーの存在が検出されていない場合に、ロック機構３４に対し、原稿カバー部材３２をロックさせる。
【００９８】
このように、ユーザーがプラテンガラス３１の近傍に存在する場合には、プラテンガラス３１に原稿が載置されていることを示す通知情報が音声出力部４６によって出力される。したがって、制御部１０は、原稿の所有者に対し、原稿が載置されたままであることを迅速に知らせることができる。
【００９９】
また、プラテンガラス３１に原稿が載置されたままになっている状態で、ユーザーがプラテンガラス３１の近傍に存在しない場合には、原稿カバー部材３２がロックされる。したがって、原稿が所有者以外の第三者の手に渡ることを確実に防ぐことができる。
【０１００】
また上記実施の形態によれば、制御部１０は、音声出力部４６による通知情報の出力後、プラテンガラス３１に原稿が載置されている状態で予め定められる第２の時間が経過した場合に、ロック機構３４に対し、原稿カバー部材３２をロックさせる。
【０１０１】
このように、音声出力部４６による通知情報の出力後においてもプラテンガラス３１に原稿が載置されたままになっている場合には、原稿カバー部材３２がロックされる。したがって、原稿が所有者以外の第三者の手に渡ることをより一層確実に防ぐことができる。
【０１０２】
また上記実施の形態によれば、制御部１０は、ロック機構３４による原稿カバー部材３２のロック後、通信部２１を介して、ＨＤＤ１９に予め記憶されている送信先に対し、通知情報を送信させる。
【０１０３】
これによって、制御部１０は、原稿の所有者に対し、原稿が載置されたままであることを確実に知らせることができる。
【０１０４】
制御部１０は、リーダー４４を介して入力されるＩＤ情報、又は、画像読取部１１を介して入力される画像データが、ＨＤＤ１９に記憶されている解除情報と一致する場合に、ロック機構３４に対し、原稿カバー部材３２のロックを解除させる。
【０１０５】
これによって、原稿が所有者以外の第三者の手に渡ることをより一層確実に防ぐことができる。
【０１０６】
また上記実施の形態によれば、制御部１０は、リーダー４４を介して、ＲＦタグ４５からＩＤ情報を取得可能である場合に、通信可能範囲にユーザーが存在していると判定し、リーダー４４を介して、ＲＦタグ４５からＩＤ情報を取得可能でない場合に、通信可能範囲にユーザーが存在していないと判定する。
【０１０７】
これによって、制御部１０は、プラテンガラス３１の近傍にユーザーが存在しているか否かを容易に判定することができる。
【０１０８】
また上記実施の形態によれば、制御部１０は、音声出力部４６に、通知情報として、ＨＤＤ１９に予め記憶されている音声データに基づいて、警告音を示す音声を出力させる。
【０１０９】
これによって、制御部１０は、原稿の所有者に対し、原稿が載置されたままであることを容易に知らせることができる。
【０１１０】
また上記実施の形態によれば、制御部１０は、画像読取部１１による原稿の読取後、開閉検出部３３によって原稿カバー部材３２の開状態が検出されていない場合に、プラテンガラス３１に原稿が載置されている状態であると判定する。
【０１１１】
これによって、制御部１０は、プラテンガラス３１に原稿が載置されている状態であるか否かを容易に判定することができる。
【０１１２】
（第１の変形例）
本発明の第１の変形例に係る画像読取装置２を含む画像形成装置１の構成は、通知情報の送信先が異なる点を除き、上記した実施の形態に係る画像形成装置１と同じである。以下、上記した実施の形態と異なる点について説明する。
【０１１３】
ＨＤＤ１９は、ユーザー名と、ユーザーを識別するためのＩＤ情報と、ユーザーの電子メールアドレスと、を対応付けて予め記憶している。ＨＤＤ１９はまた、第１の変形例に係る原稿忘れ通知処理を実行するための通知プログラムを記憶する。
【０１１４】
［動作］
図８は、第１の変形例に係る原稿忘れ通知処理を示すフローチャートである。以下、第１の変形例に係る原稿忘れ通知処理を実行するために、画像形成装置１で実行される通知プログラムの制御構造について、画像形成装置１の動作と併せて説明する。
【０１１５】
第１の変形例に係る原稿忘れ通知処理において、ステップＳ３１乃至ステップ３７の処理、及びステップＳ３９の処理は、上記実施の形態に係る原稿忘れ通知処理におけるステップＳ１１乃至ステップ１７の処理、及びステップＳ１９の処理と同じである。以下、上記実施の形態に係る原稿忘れ通知処理とは異なる処理について説明する。
【０１１６】
原稿カバー部材３２のロック後、制御部１０は、ＨＤＤ１９から、コピー機能の使用時にログイン中のＩＤ情報としてＨＤＤ１９に記憶されていたＩＤ情報に対応する電子メールアドレスを読出し、通信部２１を介して、読出した電子メールアドレスによって示される送信先に、プラテンガラス３１に原稿が載置されていることを示す通知情報としての電子メールを送信する（ステップＳ３８）。電子メールの本文には、例えば、「プラテンガラスに原稿が載置されたままになっています。」、又は、「プラテンガラスに原稿を置き忘れています。」等のメッセージが含まれる。
【０１１７】
（その他の変形例）
上記実施の形態では、検出部としてリーダー４４が用いられたが、本発明はそのような実施の形態に限定されない。検出部としては、プラテンガラス３１から予め定められる範囲内に存在するユーザーを検出可能なものであれば特に限定されず、例えば、人感センサーが用いられてもよい。
【０１１８】
また上記実施の形態では、出力部として音声出力部４６が用いられたが、本発明はそのような実施の形態に限定されない。出力部としては、プラテンガラス３１から予め定められる範囲内に存在するユーザーに対して通知情報を出力可能なものであれば特に限定されず、例えば、表示部１６であってもよい。この場合、制御部１０は、表示部１６に対し、プラテンガラス３１に原稿が載置されていることを示すメッセージ等を表示させる。
【０１１９】
また上記実施の形態では、入力部として、リーダー４４又は画像読取部１１が用いられたが、本発明はそのような実施の形態に限定されない。入力部としては、解除情報を入力可能なものであれば特に限定されず、例えば、操作部１５であってもよい。この場合、制御部１０は、操作部１５を介してユーザーによって入力される情報が解除情報と一致する場合に、ロック機構３４による原稿カバー部材３２のロックを解除する。
【０１２０】
また上記実施の形態では、解除情報として、ＩＤ情報及び画像データが用いられたが、本発明はそのような実施の形態に限定されない。例えば、解除情報として、ユーザー毎に設定されているパスワードが用いられてもよい。
【０１２１】
また上記実施の形態では、制御部１０は、開閉検出部３３の検出結果に基づいて、プラテンガラス３１に原稿が載置されている状態であるか否かの判定を行ったが、本発明はそのような実施の形態に限定されない。例えば、画像読取装置２が、プラテンガラス３１上の原稿の有無を検出するセンサーを備えており、当該センサーによって原稿の存在が検出される場合に、制御部１０が、プラテンガラス３１に原稿が載置されている状態であると判定する構成であってもよい。
【０１２２】
また上記実施の形態では、ロック機構として、ロック機構３４が用いられたが、本発明はそのような実施の形態に限定されない。ロック機構としては、原稿カバー部材３２をプラテンガラス３１に対して閉状態に固定可能なものであれば特に限定されないが、例えば、スライドロック機構を用いてもよい。
【０１２３】
また上記実施の形態では、第１の時間は「５分」であり、第２の時間は「３０秒」であったが、本発明はそのような実施の形態に限定されない。例えば、第１の時間は「３分」であり、第２の時間は「１分」であってもよい。
【０１２４】
また上記実施の形態では、通信可能範囲は、リーダー４４から１メートル離れた距離までであったが、本発明はそのような実施の形態に限定されない。例えば、通信可能範囲は、リーダー４４から２メートル離れた距離までであってもよいし、リーダー４４から３メートル離れた距離までであってもよい。
【０１２５】
また上記実施の形態では、開閉検出部３３の一例として、機械式のスイッチ機構を例示したが、本発明はそのような実施の形態に限定されない。開閉検出部３３は、原稿カバー部材３２の開状態又は閉状態を検出する構成であれば特に限定されず、例えば、原稿カバー部材３２が閉状態になる直前に導通する構成の電気式スイッチであってもよい。
【０１２６】
なお、本発明は上記実施の形態の構成に限られず種々の変形が可能である。例えば、上記実施の形態では、本発明に係る画像読取装置の一実施形態としてカラー複合機を用いて説明しているが、これは一例に過ぎず、モノクロ複合機、コピー機、又はファクシミリ装置等の他の電子機器であってもよい。
【０１２７】
また、図１乃至図８を用いて上記実施形態により示した構成及び処理は、本発明の一実施形態に過ぎず、本発明を当該構成及び処理に限定する趣旨ではない。
【符号の説明】
【０１２８】
１    画像形成装置
２    画像読取装置
１０  制御部
１１  画像読取部
１９  ＨＤＤ
２１  通信部
３１  プラテンガラス
３２  原稿カバー部材
３３  開閉検出部
３４  ロック機構
４４  リーダー
４６  音声出力部
１００  制御ユニット
【図１】
2020088482.tif 000003
【図２】
2020088482.tif 000004
【図３】
2020088482.tif 000005
【図４】
2020088482.tif 000006
【図５】
2020088482.tif 000007
【図６】
2020088482.tif 000008
【図７】
2020088482.tif 000009
【図８】
2020088482.tif 000010